(57)【要約】  本発明は、ユーザーカスタマイズ形ネイル装飾付着物の提供方法に関するもので、より詳細には、保存された背景イメージを爪付着装飾物上に出力させて、ユーザーの爪に付着するネイル装飾付着物を生産するネイル装飾付着物の提供システムによるユーザーカスタマイズ形ネイル装飾付着物提供方法において、爪ウインドウを有するハンドイメージを生成させる工程、前記ハンドイメージを背景イメージ上に重畳させる工程、前記ハンドイメージを移動させて前記爪ウインドウを通じて表示される背景イメージから印刷領域を抽出する工程、前記抽出された背景イメージの印刷領域を爪付着装飾物上に印刷してネイル装飾付着物を形成させる工程を含んで提供される。前記のような本発明によれば、ユーザー自身が爪ウインドウに付着させる背景イメージを直接選択でき、多様なユーザーの美的欲求を満足させることができる効果がある。また、爪ウインドウに付着させるイメージを爪の屈曲した形状に対応するように歪曲させて、ユーザーに実際に付着した状態のイメージを前もって提供することにより、ユーザーの繊細な欲求を満足させ得る効果がある。
2017512116.tif 000002
【特許請求の範囲】
【請求項１】
保存された背景イメージを爪付着装飾物上に出力させて、ユーザーの指の爪に付着するネイル装飾付着物を生産するネイル装飾付着物の提供システムによるユーザーカスタマイズ形ネイル装飾付着物の提供方法において、
爪ウインドウを有するハンドイメージを生成させる工程と、
前記ハンドイメージを背景イメージ上に重畳させる工程と、
前記ハンドイメージを移動させて前記爪ウインドウを通じて表示される背景イメージから印刷領域を抽出する工程、および
前記抽出された背景イメージの印刷領域を爪付着装飾物に印刷してネイル装飾付着物を形成する工程とを含むことを特徴とするユーザーカスタマイズ形ネイル装飾付着物の提供方法。
【請求項２】
前記ハンドイメージを生成させる工程は、
爪の形状を含むユーザーの手の形状を撮影して、爪のイメージを獲得する工程と、
爪の形状を含むユーザーの手の形状のイメージをスキャンして、スキャンイメージを獲得する工程と、
前記撮影された爪のイメージに前記スキャンイメージをマッチングさせて、実際の爪のサイズに対応するハンドイメージを形成させる工程、および
前記ハンドイメージ上に表現された爪の領域の一定部分を除去して、爪ウインドウを形成させる工程とを含むことを特徴とする請求項１に記載のユーザーカスタマイズ形ネイル装飾付着物の提供方法。
【請求項３】
前記ユーザーの手の形状を撮影する工程で、撮影画面上に手の形状ガイドが表示されて前記手の形状ガイドに前記ユーザーの手の形状を合わせるようにすることを特徴とする請求項２に記載のユーザーカスタマイズ形ネイル装飾付着物の提供方法。
【請求項４】
前記爪ウインドウを通じて表示される背景イメージの中から前記爪ウインドウに対応する部分のイメージが、爪の曲面形状を考慮して歪曲して表示されることを特徴とする請求項１に記載のユーザーカスタマイズ形ネイル装飾付着物の提供方法。
【請求項５】
前記ハンドイメージを生成させる工程は、
爪の形状を含むユーザーの手の形状を撮影してイメージを獲得する工程と、
前記撮影イメージから各爪の領域を抽出する工程と、
前記抽出された各爪の領域の形状と既に保有している保有の爪形状データをマッチングさせて最も類似した保有の爪形状を抽出する工程、および
前記の手の形状を撮影したイメージ上に前記抽出された保有の爪形状による爪ウインドウを形成させる工程とを、含むことを特徴とする請求項１に記載のユーザーカスタマイズ形ネイル装飾付着物の提供方法。
【請求項６】
前記ハンドイメージを生成させる工程は、
爪の形状を含むユーザーの手の形状を撮影してイメージを獲得する工程と、
既に保有している多数の爪ウインドウのデータの中からいずれか一つを選択して撮影イメージの爪ウインドウに形成させる工程とを含むことを特徴とする請求項１に記載のユーザーカスタマイズ形ネイル装飾付着物の提供方法。
【発明の詳細な説明】
【技術分野】
【０００１】
本発明は、ユーザーカスタマイズ形ネイル装飾付着物の提供方法に関するものであり、より詳細には、ユーザーが自分の爪を含んだイメージを撮影し、撮影したイメージを背景イメージに重畳させて、ユーザーの爪の領域に該当する印刷領域を抽出し、業体の端末機の印刷領域に対応する部分を爪付着装飾物に印刷したネイル装飾付着物をユーザーに届けてくれるカスタマイズ形ネイル装飾付着物の提供方法に関するものである。
【背景技術】
【０００２】
美容に対する女性の関心の高まりとともに爪に各種の模様や色相を導入して美しくするネイルアートが多く用いられているが、これらのネイルアートは、爪にマニキュアを直接塗ったり、人工爪を使用したり、またはネイルステッカーなどの爪装飾物を付ける方式などがある。
【０００３】
その中で、直接マニキュアを爪に塗るネイルアートの場合には、自分で直接描くのは容易ではないので、専門家のサービスを受けることになるが、画一的ではなく多様な形態のデザインを表現することができるが、コストが高くて装飾時間が長くないという欠点がある。
【０００４】
また、人工爪とネイルステッカーは、上面に一定の形態のデザイン模様が形成されており、ユーザーが一定の模様の人工爪を選択して、爪の上面に付着させるもので、デザインが多少画一的であり、ユーザーの多様なニーズを満たすことはできなくなる。
【０００５】
したがって、このような従来の画一的なデザインの爪装飾物を脱皮して、ユーザーの多様な美的要求を満たすことができるユーザーカスタマイズ形ネイル装飾付着物を提供する方法に対する要望が高まっているのが実情である。
【発明の概要】
【発明が解決しようとする課題】
【０００６】
本発明は、前記のような問題点を解決するために案出されたものであって、本発明の目的は、ユーザーが直接爪の上部に付着させるイメージを選択できるようにして、ユーザーの多様な美的欲求を満足させることができるようにすることにある。
【０００７】
本発明のまた他の目的は、ユーザーの爪に付着させるイメージを爪の屈曲した形状に対応するように歪曲させ、あらかじめ付着した状態のイメージをユーザーに提供するようにすることにある。
【課題を解決するための手段】
【０００８】
前記のような目的を達成するための本発明の一側面によるユーザーカスタマイズ形ネイル装飾付着物の提供方法は、保存された背景イメージを爪付着装飾物上に出力させて、ユーザーの爪に付着するネイル装飾付着物を生産するネイル装飾付着物の提供システムによるユーザーカスタマイズ形ネイル装飾付着物の提供方法において、爪ウインドウを有するハンドイメージを生成させる工程、前記ハンドイメージを背景イメージ上に重畳させる工程、前記ハンドイメージを移動させて前記爪ウインドウを通じて表示されている背景イメージから印刷領域を抽出する工程、前記抽出された背景イメージの印刷領域を爪付着装飾物上に印刷してネイル装飾付着物を形成させる工程を含んで提供される。
【０００９】
併せて、前記ハンドイメージを生成させる工程は、爪の形状を含むユーザーの手の形状を撮影して、爪のイメージを獲得する工程、爪の形状を含むユーザーの手の形状のイメージをスキャンして、スキャンイメージを獲得する工程、前記撮影された爪のイメージに前記のスキャンイメージをマッチングさせて、実際の爪のサイズに対応するハンドイメージを形成させる工程、前記ハンドイメージ上に表現された爪の領域の一定部分を除去して、爪ウインドウを形成させる工程を含んで提供される。
【００１０】
また、前記ユーザーの手の形状を撮影する工程で、撮影画面上に手の形状ガイドが表示され、前記手の形状ガイドに前記のユーザーの手の形状を合わせるようにする。
【００１１】
さらに、前記の爪ウインドウを通じて表示される背景イメージのうち、前記の爪ウインドウに対応する部分のイメージが爪の曲面形状を考慮して歪曲して表示される。
【００１２】
また、前記のハンドイメージを生成させる工程は、爪の形状を含むユーザーの手の形状を撮影してイメージを獲得する工程と、前記撮影イメージから、各爪の領域を抽出する工程、前記抽出された各爪の領域の形状と既に保有している保有の爪形状データをマッチングさせて、最も類似した保有の爪形状を抽出する工程、前記手の形状を撮影したイメージ上に前記抽出された保有の爪形状によって爪ウインドウを形成させる工程を含んで提供される。
【００１３】
また、前記ハンドイメージを生成させる工程は、爪の形状を含むユーザーの手の形状を撮影してイメージを獲得する工程と、既に保有している多数の爪ウインドウのデータの中からいずれか一つを選択して、撮影したイメージの爪ウインドウに形成させる工程を含んで提供される。
【発明の効果】
【００１４】
前記のような本発明によれば、ユーザー自身が爪ウインドウに付着させる背景イメージを直接選択できるので、多様なユーザーの美的欲求を満足させることができる効果がある。
【００１５】
また、爪ウインドウに付着させるイメージを爪の屈曲した形状に対応するように歪曲させて、ユーザーに実際に付着した状態のイメージを前もって提供することによって、ユーザーの繊細な欲求を満足させることができる効果がある。
【図面の簡単な説明】
【００１６】
【図１】本発明によるユーザーカスタマイズ形ネイルステッカーの提供システムの概略的な構成を示した図である。
【図２】本発明によるユーザー端末機の主要な構成を示したブロック図である。
【図３】本発明によるユーザーカスタマイズ形ネイルステッカーの提供方法を示したフローチャートである。
【図４】ハンドイメージが生成される過程の画面構成を示した図である。
【図５】ハンドイメージが生成される過程の画面構成を示した図である。
【図６】ハンドイメージが生成される過程の画面構成を示した図である。
【図７】印刷領域が抽出される過程の画面構成を示した図である。
【図８】印刷領域が抽出される過程の画面構成を示した図である。
【図９】印刷領域が抽出される過程の画面構成を示した図である。
【図１０】印刷領域が抽出される過程の画面構成を示した図である。
【図１１】爪の局面形状を考慮して、爪ウインドウに表示される背景イメージの一例を示した図である。
【発明を実施するための形態】
【００１７】
以下では、添付した図を参照して、本発明の好ましい一実施例を詳細に説明する。
【００１８】
図１は、本発明によるユーザーカスタマイズ形ネイル装飾付着物の提供システムの概略的な構成を示した図であり、図２は、本発明によるユーザー端末機の主な構成を示したブロック図である。
【００１９】
図を参照すると、本発明によるユーザーカスタマイズ形ネイル装飾付着物を提供するシステムは、ユーザー端末機１０を通じてユーザーの手の形状を撮影して爪ウインドウを有するユーザーのハンドイメージを生成させて、ハンドイメージを背景イメージと合成させて印刷される背景イメージを抽出し、抽出された印刷領域のデータを通信網を通じて管理サーバー２０に送信する。
【００２０】
管理サーバー２０に送信された印刷領域のデータは、通信網を通じて業体の端末機３０に送信され、業体の端末機３０では、抽出された印刷領域を印刷部４０を通じて爪付着装飾物上に出力してネイル装飾付着物が形成されるようにする。このように形成されたネイル装飾付着物は、管理サーバー２０に貯蔵されたユーザーの個人情報に基づいてユーザーの住所に配送されるようにする。
【００２１】
ユーザー端末機１０は、ユーザーの手を撮影する撮影部１１と、撮影されたイメージの操作などの動作を実行するようにする入力部１２と、撮影映像や背景イメージなどを、画面上に出力させるデイスプレイ部１３と、出力された映像を保存するメモリ部１４と、ハンドイメージを作成したり、背景イメージを抽出するように制御する制御部１５および管理サーバー２０または業体の端末機３０とデータを送受信する有線・無線送受信部１６を含んで構成されている。
【００２２】
撮影部１１は、ユーザー端末機１０に設置されたカメラを通じて爪を含むユーザーの手を撮影する。そして、撮影された映像は、デイスプレイ部１３に出力され、ユーザーがデイスプレイ部１３を肉眼で見ながら撮影できるようにする。
【００２３】
メモリ部１４は、前記のように撮影された映像データを保存するとともに、管理サーバー２０から送信された背景イメージなどのデータも一緒に保存する。
【００２４】
制御部１５は、ハンドイメージ生成モジュール１５ａと背景イメージ抽出モジュール１５ｂを含んで構成されている。
【００２５】
ハンドイメージ生成モジュール１５ａは、撮影部１１を通じて撮影された爪のイメージに基づいて爪ウインドウを形成させる。本発明では、下記のように多様な方法でハンドイメージ生成モジュール１５ａによって爪ウインドウ形成させる。
【００２６】
最初の方法としては、撮影部１１を通じて撮影された爪の形状を含むユーザーの手の形状を撮影したイメージと爪を含むユーザーの手の形状のイメージをスキャンして獲得されたスキャンイメージをマッチングさせて、撮影された爪のイメージが実際の爪のサイズと対応するように撮影された爪のイメージサイズを調整して、ハンドイメージを形成させ、そのように形成されたハンドイメージ上に表現された爪の領域部分を除去して、爪ウインドウを形成させる。
【００２７】
第二の方法としては、撮影部１１を通じてユーザーの手の形状を撮影する際にデイスプレイ部１３に出力されるユーザーの手の形状のイメージに手の形状ガイドが表示されるようにして、ユーザーが手の形状ガイドに手の形状を合わせて撮影するようにする。このような手の形状ガイドは、最適の撮影イメージを獲得するためのガイドとして、手の形状を別個にスキャンする必要なしに、デイスプレイ部１３の画面上に実際のサイズと対応する爪ウインドウを迅速、正確に抽出することができるようにするためである。
【００２８】
第三の方法としては、撮影部１１を通じて撮影された爪の形状が含まれた手の形状を撮影したイメージから爪の領域を抽出し、既に保存されているメモリ部１４の多様な形状の保有の爪形状データとマッチングさせて、その中で最も類似した保有の爪形状を抽出して、それをイメージ上に爪ウインドウで形成させる。ここで保有の爪形状データとマッチングさせる方法は、抽出された爪の領域の色相値を通じて爪の形状と３次元的な爪の屈曲を予測し、それを既に保有している爪の形状データと比較するようにする。
【００２９】
第四の方法としては、撮影部１１を通じて撮影された爪の形状を含む手の形状を撮影したイメージにデイスプレイ部１３の画面上にメモリ部１４に既に保存されている多数の爪ウインドウデータを活性化させてユーザーが任意に１つを選択して、爪ウインドウを形成させるようにする。
【００３０】
このように、多様な方法で生成されたハンドイメージ情報は、メモリ部１４に別個に保存され、管理サーバー２０に、ユーザー情報と一緒に保存される。
【００３１】
背景イメージ抽出モジュール１５ｂは、メモリ部１４に保存された背景イメージをデイスプレイ部１３の画面上に出力されるようにした後、前記のように生成されたハンドイメージを背景イメージに重畳させて爪ウインドウを通じて表示される背景イメージを抽出し、抽出された背景イメージは、有線・無線送受信部１６を通じて管理サーバー２０に送信される。
【００３２】
このような背景イメージ抽出モジュール１５ｂは、デイスプレイ部１３の画面上に爪の曲面を考慮して、背景イメージが歪曲するように表示することができる。つまり、爪ウインドウを通じて表示される背景イメージのうち、前記爪ウインドウに対応する部分のイメージが、爪が伸びる長さ方向にそのまま表現されるようにし、両側面に一定曲率で屈曲するように変形させて、ユーザーに爪に付着させるネイル装飾付着物の形状を前もって肉眼で確認できるようにして、ユーザーが興味を誘発させるようにする。
【００３３】
併せて、これらの爪の両側面の屈曲によって、抽出される背景イメージも爪ウインドウの両側面に一定の余裕表面積を確保するようにする。そのために、制御部１５では、既に設定されたデータに基づいて、背景イメージが爪の屈曲による表面積に適切に抽出されるようにする。
【００３４】
管理サーバー２０は、ユーザー端末機１０から抽出された背景イメージと個人情報が含まれているデータの送信を受けて分類保存するデータベース５０を含む。これらのデータベース５０は、ユーザー端末機１０から送信された爪ウインドウが形成されるハンドイメージや爪ウインドウを背景イメージに重畳させて抽出した背景イメージデータを個人情報データと一緒に分類保存し、業体の端末機３０から送信された背景イメージ、手の形状ガイドデータが別個に保存される。
【００３５】
業体の端末機３０は、管理サーバー２０を通じて送信される印刷領域のデータを印刷部４０に送信させて爪付着装飾物上に印刷するようにして、多様な背景イメージと手の形状ガイドデータを作成して管理サーバー２０に送信する。
【００３６】
併せて、爪付着装飾物は、一般的な上部の印刷面と下部の接着面からなるフラットなシートからなり、上部面に背景イメージが印刷されたり、一定規格の人工爪に、人工爪の上面に背景イメージが印刷されるようにすることができる。
【００３７】
ここで人工爪は、管理サーバー２０に送信されるユーザー情報またはユーザーの手のイメージに形成される爪ウインドウ情報に基づいて、一定規格の人工爪として備えられるようにする。
【００３８】
（発明を実施するための形態）
以下では、本発明によるユーザーカスタマイズ形ネイル装飾付着物の提供方法に対してさらに詳しく説明することにする。
【００３９】
図３は、本発明によるユーザーカスタマイズ形ネイル装飾付着物を提供する方法を示したフローチャートであり、図４〜図６は、ハンドイメージが生成される過程の画面構成を示した図であり、図７〜図１０は、印刷領域が抽出される過程の画面構成を示した図であり、図１１は、爪の曲面形状を考慮して爪ウインドウに表示される背景イメージの一例を示した図である。
【００４０】
図を参照すると、本発明によるユーザーカスタマイズ形ネイル装飾付着物の提供方法は、まず、撮影部１１で爪の形状を含むユーザーの手の形状を撮影した後（Ｓ３１０）、手の形状に含まれた爪の周辺領域が削除された爪ウインドウを有するハンドイメージを生成させる（Ｓ３２０）。
【００４１】
これらのハンドイメージは、下記のように多様な方法で生成することができる。
【００４２】
最初の方法としては、前記のように撮影部１１を通じて爪の形状を含むユーザーの手の形状を撮影して爪のイメージを獲得し、爪の形状を含むユーザーの手の形状を別個にスキャンして、スキャンイメージを獲得した後、前記の爪のイメージにスキャンしたイメージをマッチングさせて、実際の指の爪のサイズに対応するハンドイメージを生成させるようにすることができる。ここで、スキャンしたイメージは、ユーザー端末機１０のメモリ部１４と、管理サーバー２０に別途に保存され、追ってスキャン工程を経ずに保存されたスキャンイメージを使用して比較できるようにする。
【００４３】
第二の方法としては、最初の方法とは異なり、ユーザーの爪を別途にスキャンする必要なしに、爪を撮影した当時、既に設定されたガイドを提供して、実際の指の爪のサイズと対応するイメージをすぐに形成させるようにする。
【００４４】
これは、図４及び図６の画を通じてさらに詳しく説明すると、ユーザー端末機１０の制御部１５で手の形状の撮影に先立って、実際の爪のサイズと対応する手の形状を獲得するために、図４のようにデイスプレイ部１３の画面に爪の領域が表示された手の形状ガイドが複数個表示され、ユーザーは、この中から選択するようにする。
【００４５】
このように、ユーザーが選択して、画面に表示された手の形状ガイドを肉眼で見ながら図５のように、ユーザーの手の形状を手の形状ガイドにある程度合わせるようにして撮影する。
【００４６】
撮影された手の形状のイメージ上に表現された爪の領域の一定部分を除去して、爪ウインドウを形成させ、爪ウインドウ領域以外のユーザーの手の形状のイメージがそのまま維持されるようしてハンドイメージを生成する。
【００４７】
併せて、爪の領域は手の形状ガイドに形成されたガイド線を基にして爪の色相、質感等のＲＧＢ色相特定値と、エッジ値を抽出して、爪ウインドウを形成させるようにする。
【００４８】
第三の方法としては、爪の形状を含むユーザーの手の形状を撮影してイメージを獲得して、撮影されたイメージから、各爪の領域を抽出し、抽出された各爪の領域の形状と、メモリ部１４に既に保有していた保有の爪形状データとをマッチングさせ、最も類似した保有の爪形状を抽出する。ここでユーザーは、類似した保有の爪形状の中から爪の長さ等を考慮して、ユーザーが任意に一つを選択することができる。
【００４９】
このように抽出された保有の爪形状は、前記の手の形状を撮影したイメージ上に爪ウインドウで形成されるようにする。また、これらの保有の爪形状データのマッチングは、撮影された爪のイメージの色相値を基にして爪の形状と爪の屈曲を判断して保有の爪形状と比較することになる。このように抽出された最も類似した保有の爪形状データは、管理サーバー２０を通じて業体の端末機３０に送信され、保有の爪形状データを基にして人工爪が製作されるようにする。
【００５０】
第四の方法としては、爪の形状を含むユーザーの手の形状のイメージ上にメモリ部１４に既に保存されていた２次元形状の爪ウインドウのデータの中からいずれか一つをユーザーが直接選択して撮影したイメージ上に爪ウインドウにすぐに適用してハンドイメージを生成させるようにする。
【００５１】
このように、多様な方法で生成されたハンドイメージデータは、ユーザー端末機１０のメモリ部１４に保存され、ユーザー情報と一緒に管理サーバー２０にも送信されてデータベース５０が構築されるようにする。
【００５２】
そして、ユーザーは、印刷領域を抽出するために、ユーザー端末機１０のメモリ部１４に保存された背景イメージを選択する（Ｓ３３０）。ここで、背景イメージは、業体の端末機３０から提供される背景イメージを管理サーバー２０を通じて送信を受けたり、ユーザーが直接撮影したイメージまたはユーザーが直接デイスプレイ部１３の画面上にイメージや文字などを直接作成したペイントイメージを使用することもできる。
【００５３】
図７に示すように、デイスプレイ部１３の画面上部に選択可能な多様な背景イメージが表示され、画面下部には基本ベースカラーを適用することができるテーブルが表示され得る。ここで、背景イメージは、一般的な文様やキャラクター、芸能人の写真など、多様なイメージを使用することができる。このように、デイスプレイ部１３画面の上下部分に表示された選択ウインドウでユーザーが任意の背景イメージを選択すると、選択された背景イメージがデイスプレイ部１３の画面全体に出力される。
【００５４】
次に、図９に示すように、出力された背景イメージにハンドイメージを重畳させる（Ｓ３４０）。そして、図１０に示すよう爪ウインドウを通じて表示される背景イメージから印刷領域を抽出することになる（Ｓ３５０）。
【００５５】
また、このような印刷領域の抽出は、図８に示すように、ユーザー端末機１０の入力部１２で爪ウインドウの位置とサイズを調整するようにして、ユーザー所望の形状の背景イメージが抽出されるようにすることもできる。
【００５６】
さらに、爪ウインドウごとに、それぞれ別の背景イメージを挿入して、別個の背景イメージを抽出することもできる。
【００５７】
併せて、図９でハンドイメージを背景イメージに重畳させると、制御部１５で爪の曲面を考慮して、爪ウインドウを通じて表示される背景イメージのうち前記爪ウインドウに対応する部分のイメージを図１１に示すように、歪曲させて実際に付着した状態に見えるように表示することができる。このような歪曲は、制御部１５でユーザーの爪ウインドウの形状やメモリ部１４に既に保存された爪の形状と比較して適正な爪の形状を３次元的にモデリングして爪の表面の歪曲を表現するようにする。このような実際の付着状態をユーザーが肉眼で確認しながら印刷領域を選択できるようにする。
【００５８】
このように抽出された印刷領域のデータは、管理サーバー２０に送信され、管理サーバー２０から再びユーザー情報を含んだ印刷領域のデータを業体の端末機３０に送信する（Ｓ３６０）。
【００５９】
業体の端末機３０に送信されたデータを基にして印刷部４０で爪付着装飾物上に印刷してネイル装飾付着物を形成させる（Ｓ３７０）。このような爪付着装飾物はフラットな形態の一般的な付着シートまたは一定形状の人工爪であり得る。一定形状の人工爪は、業体の端末機３０に送信されるユーザーの爪ウインドウ情報に基づいて、適切な人工ネイル形状を選択するようにする。
【００６０】
このように完成されたネイル装飾付着物は、業体の端末機３０に送信されたユーザー情報に基づいて希望する配送先に発送されるようにする（Ｓ３８０）。
【００６１】
本発明が前記の好ましい実施例に関連して説明されたとしても、発明の要旨と範囲から逸脱することなく多様な修正や変形をすることが可能である。したがって、添付された特許登録請求の範囲は、本発明の要旨に属するこれらの修正や変形を含むものである。
【図１】
2017512116.tif 000003
【図２】
2017512116.tif 000004
【図３】
2017512116.tif 000005
【図４】
2017512116.tif 000006
【図５】
2017512116.tif 000007
【図６】
2017512116.tif 000008
【図７】
2017512116.tif 000009
【図８】
2017512116.tif 000010
【図９】
2017512116.tif 000011
【図１０】
2017512116.tif 000012
【図１１】
2017512116.tif 000013
【国際調査報告】
2017512116.tif 000014
2017512116.tif 000015
2017512116.tif 000016
2017512116.tif 000017